(57)【要約】【課題】ペットの猫の適切な尿検査を行うために、該猫の尿の蒸発を抑制した状態で該尿を回収可能な尿回収用容器及びペット用トイレを提供すること。【解決手段】底面を形成する底壁部４０と、該底壁部４０の全周を囲む周壁部４１（側壁部４１ａ，壁部４１ｂ）とを有し、動物の尿を回収する尿回収用容器４である。該尿回収用容器４は、周壁部４１（側壁部４１ａ，壁部４１ｂ）の内側に、区画壁４２（縦区画壁４２ａ，横区画壁４２ｂ）によって区画された複数の尿回収部４３を備えている【選択図】図３
2019083701.tif 000002
【特許請求の範囲】
【請求項１】
底面を形成する底壁部と該底壁部の全周を囲む周壁部とを有し、動物の尿を回収する尿回収用容器であって、
前記周壁部の内側に、区画壁によって区画された複数の尿回収部を備える尿回収用容器。
【請求項２】
尿が前記尿回収用容器から溢れる前に、少なくとも一の前記尿回収部から他の前記尿回収部への尿の拡散が生じるようになされている、請求項１に記載の尿回収用容器。
【請求項３】
前記尿回収部の上部開口の開口面積が１ｃｍ２以上４０ｃｍ２以下である、請求項１又は２に記載の尿回収用容器。
【請求項４】
前記区画壁の高さが０．５ｃｍ以上５ｃｍ以下である、請求項１〜３の何れか１項に記載の尿回収用容器。
【請求項５】
前記尿回収部の容積が１ｃｍ３以上８０ｃｍ３以下である、請求項１〜４の何れか１項に記載の尿回収用容器。
【請求項６】
前記尿回収部の上部開口の開口面積が該尿回収部の底面の面積よりも大きい、請求項１〜５の何れか１項に記載の尿回収用容器。
【請求項７】
前記周壁部の高さが前記区画壁の高さよりも高い、請求項１〜６の何れか１項に記載の尿回収用容器。
【請求項８】
前記尿回収用容器を平面視して、複数の前記尿回収部が第１方向に沿って並んだ尿回収部列が、該第１方向と直交する第２方向に複数列形成されている、請求項１〜７の何れか１項に記載の尿回収用容器。
【請求項９】
隣り合う前記尿回収部どうしの間に位置する前記区画壁に、下方に向かって凹んだ低壁部が形成されている、請求項８に記載の尿回収用容器。
【請求項１０】
前記尿回収用容器は、平面視して前記第１方向に長い矩形状に形成されており、
前記低壁部は、前記第１方向に間隔を空けて並んで配されている、請求項９に記載の尿回収用容器。
【請求項１１】
前記周壁部は、前記尿回収部列における前記第１方向の一端部と隣接する部分において、下方に向かって凹んだ切欠き部を有している、請求項８〜１０の何れか１項に記載の尿回収用容器。
【請求項１２】
請求項１〜１１の何れか１項に記載の尿回収用容器、尿透過性の仕切り層により上層部分と下層部分とに区画されたトイレ本体、及び該トイレ本体の該下層部分に収容されるトレーを備えたペット用トイレであって、
前記尿回収用容器は、前記トレー上に載置され、該トレーと共に前記下層部分に収容されるペット用トイレ。
【発明の詳細な説明】
【技術分野】
【０００１】
本発明は、猫等のペットの尿を回収する尿回収用容器及び該尿回収用容器を用いたペット用トイレに関する。
【背景技術】
【０００２】
昨今、簡単に行えるペットの健康管理として、該ペットの尿を採取して該ペットの健康状態を検査する尿検査の重要性が増している。尿検査は、特に猫の疾患の発見に有効であり、猫の尿のｐＨ値や尿比重等を測定するキットを用いることで簡単に尿検査を行うことができる。また尿検査は、その色や濁り具合等を目視にて観察するだけでもペットの健康状態を把握する上で有効である。さらに、尿量および尿量の変化もペットの健康状態を把握する上で有効である。
【０００３】
本出願人は、先に、仕切り層により上層部分と下層部分とに区画されたトイレ本体と、該下層部分に収容され、該上層部分で排尿された尿を回収するトレーとを備えるペット用トイレにおいて、該トレー内の尿を注ぎ出す注ぎ口を有するトレーを備えたペット用トイレを提案した（特許文献１参照）。トレーに注ぎ口を設けることで、トレーが回収した猫の尿を容易に取り出すことができる。
【０００４】
これとは別の技術として、特許文献２には、一定期間ごとに交換する吸収材を敷設する替わりに、トレーを複数に分割して、分割したトレーごとに猫の尿を処理するペット用トイレが開示されている。
【先行技術文献】
【特許文献】
【０００５】
【特許文献１】特開２０１１−４６６４号公報
【特許文献２】特開２０１５−１２３０７８号公報
【発明の概要】
【発明が解決しようとする課題】
【０００６】
特許文献１に記載のペット用トイレは、ペットが排出した尿をトレーを用いて容易に取り出し可能である。しかし、取り出されるまでは、回収した尿がトレー内で広がった状態で保持されるため該尿が外気に触れる表面積が広く、該尿がトレー上で蒸発し易い。トレー上で尿が蒸発すると、取り出した尿の比重が変化し、正確な検査を行うことが出来なくなるおそれがある。
【０００７】
また特許文献２に記載のペット用トイレは、ペットが排出した尿を回収したトレーのみを取り出し、尿を効率的に処理するためのものであり、尿検査を行うために尿を回収したり尿の蒸発を抑制したりすることに関して、何ら記載も示唆もされていない。
【０００８】
したがって本発明は、ペットの適切な尿検査を行うために、該ペットの尿の蒸発を抑制した状態で該尿を回収可能な尿回収用容器及びペット用トイレを提供することにある。
【課題を解決するための手段】
【０００９】
本発明は、底面を形成する底壁部と該底壁部の全周を囲む周壁部とを有し、動物の尿を回収する尿回収用容器であって、前記周壁部の内側に、区画壁によって区画された複数の尿回収部を備える尿回収用容器を提供するものである。
【００１０】
また本発明は、上記尿回収用容器と、尿透過性の仕切り層により上層部分と下層部分とに区画されたトイレ本体、及び該トイレ本体の該下層部分に収容されるトレーを備えたペット用トイレであって、前記尿回収用容器は、前記トレー上に載置され、該トレーと共に前記下層部分に収容されるペット用トイレを提供するものである。
【発明の効果】
【００１１】
本発明の尿回収用容器及びペット用トイレによれば、ペットの尿の蒸発を抑制した状態で該尿を回収することができる。
【図面の簡単な説明】
【００１２】
【図１】図１は、本発明の好ましい一実施形態であるペット用トイレの概略斜視図である。
【図２】図２は、図１に示すペット用トイレの分解斜視図である。
【図３】図３は、本発明の尿回収用容器の好ましい一実施形態の概略斜視図である。
【図４】図４は、図３に示す尿回収用容器の尿回収部の概略斜視図である。
【図５】図５は、本発明の尿回収用容器の他の実施形態の概略斜視図である（図３相当図）。
【図６】図６は、図５に示す尿回収用容器の尿回収部の概略斜視図である。
【図７】図７は、本発明の尿回収用容器の別の実施形態の概略断面図である。
【発明を実施するための形態】
【００１３】
以下本発明を、その好ましい一実施形態に基づき図面を参照しながら説明する。図１及び図２には、本発明の好ましい一実施形態の尿回収用容器４を有するペット用トイレ１が示されている。
【００１４】
ペット用トイレ１は、図１及び図２に示すように、尿透過性の仕切り層２９により上層部分Ａ及び下層部分Ｂに区画されたトイレ本体２と、該トイレ本体２の下層部分Ｂに引き出し自在に収容されるトレー３と、該トレー３上に載置されトレー３と共にトイレ本体２に収容される尿回収用容器４とを備えている。
【００１５】
トイレ本体２は、図２に示すように、上部開口を有する外容器２０と、外容器２０内に着脱自在に装着される内容器２１とを備えている。外容器２０は、該外容器２０の底面を形成する底壁部２２と、該底壁部２２の全周を囲み該外容器２０の周面を形成する周壁部２３とを有している。外容器２０は、平面視して一方向に長い略矩形形状（即ち上部開口及び底壁部２２が略長方形形状）であり、底壁部２２の四辺に周壁部２３が配されたトレー状のものである。また内容器２１も、外容器２０と同様に、該内容器２１の底面を形成する底壁部２４と、該底壁部２４の全周を囲み該内容器２１の周面を形成する周壁部２５とを有しており、平面視して一方向に長い略矩形形状（即ち上部開口及び底壁部２４が略長方形形状）のトレー状のものである。外容器２０の周壁部２３の内側は、内容器２１及びトレー３の収容部となっており、内容器２１の周壁部２５の内側は、後述する排泄物処理材等の収容部となっている。
【００１６】
外容器２０の周壁部２３は、底壁部２２の長手方向Ｘに沿う両側部に位置する側壁部２３ａ，２３ａと、該長手方向Ｘの両端部に位置する壁部２３ｂ，２３ｂとを有している。側壁部２３ａは、図１及び図２に示すように、トイレ本体２の長手方向Ｘに延びている。壁部２３ｂ，２３ｂは、トイレ本体２の長手方向Ｘと直交する幅方向（短手方向）Ｙに延びている。
【００１７】
外容器２０は、図２に示すように、周壁部２３（側壁部２３ａ，壁部２３ｂ）の上端部に、外方に向かって略水平に延びるフランジ部２６を有している。また、内容器２１は、周壁部２５の上端部に、外方に向かって略水平に延びるフランジ部２７を有している。内容器２１のフランジ部２７は、図１に示すように、外容器２０のフランジ部２６を覆い、内容器２１のフランジ部２７の内面と外容器２０のフランジ部２６の外面とが嵌合するように形成されている。
【００１８】
また外容器２０は、図２に示すように、前端側（長手方向Ｘにおける前方側）の壁部２３ｂの下層部分Ｂに相当する部分に、開口部２８を有している。開口部２８の大きさ及び形状は、トレー３の引き出し方向と直交する幅方向Ｙの断面形状及び大きさと略同じ（僅かに大きい）になされており、開口部２８からトレー３を引き出しあるいは挿入することができるようになされている。トレー３の引き出し方向の長さは、外容器２０の長手方向Ｘの長さと略同じである。
【００１９】
内容器２１の底壁部２４は、尿透過性の仕切り層２９として機能する。内容器２１の底壁部２４は、平面視して矩形形状の板状部材からなり、該板状部材を厚み方向に貫通する貫通孔２９ｈを多数有している。多数の貫通孔２９ｈは、該底壁部２４を平面視して矩形形状に形成されており、底壁部２４の長手方向Ｘ及び幅方向Ｙのそれぞれに所定間隔を空けて配されている。多数の貫通孔２９ｈは、上層部分Ａ（内容器２１内）に排尿された尿を下層部分Ｂに通過させる通液孔として機能する。
【００２０】
外容器２０及び内容器２１の大きさは、特に制限されない。外容器２０は、例えば、長手方向Ｘの長さが３００〜６００ｍｍ、幅方向Ｙの長さが２００〜４００ｍｍの平面矩形状を有し、その周壁部２３の高さが７０〜２００ｍｍである。また内容器２１は、例えば、長手方向Ｘの長さが２９５〜５９５ｍｍ、幅方向Ｙの長さが１９５〜３９５ｍｍの平面矩形形状を有し、その周壁部２５の高さが３０〜１７０ｍｍである。尚、ここに示した外容器２０及び内容器２１の各部寸法は、内寸法（容器の内側の寸法である）。
【００２１】
トレー３は、該トレー３の底面を形成する平坦な底壁部３０と、該底壁部３０の周縁を囲み該トレー３の周面を形成する周壁部３１とを有しており、平面視において一方向に長い略矩形形状（略長方形形状）をなしている。周壁部３１は、底壁部３０の長手方向Ｘに沿う両側部に位置する側壁部３１ａ，３１ａと、該長手方向Ｘの両端部に位置する壁部３１ｂ，３１ｂとを有している。またトレー３は、周壁部３１（側壁部３１ａ，壁部３１ｂ）に囲まれた内部に、尿回収用容器４を載置した状態で収容可能な収容部３２を有している。トレー３の周壁部３１は、その高さＨが収容部３２に収容される尿回収用容器４の厚み（後述する周壁部４１の高さＨ１）を超え且つその上端が仕切り層２９に接触しないように形成されている。トレー３は、外容器２０の底壁部２２に載置され、該外容器２０の開口部２８から引き出し可能に形成されている。トレー３の引き出し方向は、外容器２０の長手方向Ｘと略平行である。トレー３の引き出し方向の前端側（長手方向Ｘの前方側）に位置する壁部３１ｂの上端部には、トレー３の外方に向かって略水平に延びるフランジ部３３が連設されている。該フランジ部３３の先端部には、鉛直方向に沿って下方に延びる折り返し部３４が連設されており、該折り返し部３４は、トレー３をトイレ本体２から引き出す際に指を引掛ける部位として使用される。尚、トレー３の長手方向Ｘは、外容器２０の長手方向Ｘと同じ方向であり、トレー３の幅方向Ｙは、外容器２０の幅方向Ｙと同じ方向である。
【００２２】
尿回収用容器４は、図３に示すように、上方に開口を有する扁平の略直方体形状に形成されている。尿回収用容器４は、該尿回収用容器４の底面を形成する平坦な底壁部４０と、該底壁部４０の全周を囲み該尿回収用容器４の周面を形成する周壁部４１とを有している。尿回収用容器４の底壁部４０は、平面視において、平面視したトレー３の収容部３２と略同形状の矩形形状に形成されている。尿回収用容器４の周壁部４１は、底壁部３０の長手方向Ｘに沿う両側部に位置する側壁部４１ａ，４１ａと、該長手方向Ｘの両端部に位置する壁部４１ｂ，４１ｂとを有している。側壁部４１ａ，４１ａはトレー３の側壁部３１ａ，３１ａと略平行に立設され、壁部４１ｂ，４１ｂはトレー３の壁部３１ｂ，３１ｂと略平行に立設されている。また周壁部４１（側壁部４１ａ，壁部４１ｂ）の高さＨ１は、トレー３の周壁部３１（側壁部３１ａ，壁部３１ｂ）の高さＨ（図２参照）よりも低く形成されており、トレー３の収容部３２に載置された状態で該トレー３がトイレ本体２の外容器２０の下層部分Ｂに収容可能となっている。尚、尿回収用容器４の長手方向Ｘは、トレー３の長手方向Ｘと同じ方向であり、尿回収用容器４の幅方向Ｙは、トレー３の幅方向Ｙと同じ方向である。
【００２３】
尿回収用容器４は、図３に示すように、周壁部４１の内側に、区画壁４２によって区画された複数の尿回収部４３を備えている。底壁部４０、周壁部４１及び区画壁４２は、尿回収用容器４では、一体成型されている。区画壁４２は、長手方向Ｘに延びる複数の縦区画壁４２ａと、幅方向Ｙに延びる複数の横区画壁４２ｂとを有している。複数の縦区画壁４２ａは、尿回収用容器４の幅方向Ｙに間隔を空けて配されており、複数の横区画壁４２ｂは、長手方向Ｘに間隔を空けて配されている。この縦区画壁４２ａ及び横区画壁４２ｂによって、該尿回収用容器４を平面視して、複数の尿回収部４３が第１方向である長手方向Ｘに沿って並んだ尿回収部列４３Ｇが、第１方向と直交する第２方向である幅方向Ｙに複数列形成されている。本実施形態では、幅方向Ｙに並んだ複数の尿回収部列４３Ｇの隣り合う尿回収部４３どうしが幅方向Ｙに並んで配されるようになされている。即ち、尿回収用容器４を平面視して、複数の尿回収部４３が碁盤格子状に配されている。
【００２４】
縦区画壁４２ａ及び横区画壁４２ｂは、図３に示すように、同じ高さＨ２に形成されている。また尿回収用容器４は、尿が該尿回収用容器４から溢れる前に、少なくとも一の尿回収部４３から他の尿回収部４３への該尿の拡散が生じるようになされている。尿回収用容器４では、縦区画壁４２ａ及び横区画壁４２ｂの高さＨ２が、周壁部４１（側壁部４１ａ，壁部４１ｂ）の高さＨ１よりも低く形成されている。言い換えると、周壁部４１の高さＨが、区画壁４２（縦区画壁４２ａ，横区画壁４２ｂ）の高さＨ２よりも高く形成されている。従って、尿が尿回収用容器４から溢れる前に、尿を回収している尿回収部４３の許容量を超えると、該尿回収部４３と隣り合う尿回収部４３に尿が順次流れ込んで拡散していくので、尿回収用容器４から尿が溢れることが効果的に防止される。尚、区画壁４２の高さＨ２は、縦区画壁４２ａ及び横区画壁４２ｂの最上端の高さである。
【００２５】
周壁部４１（側壁部４１ａ，壁部４１ｂ）の高さＨ１に対する区画壁４２（縦区画壁４２ａ，横区画壁４２ｂ）の高さＨ２の割合（（Ｈ２／Ｈ１）×１００）は、尿回収部４３に回収された尿が該尿回収部４３から溢れた際に尿回収用容器４から容易にこぼれないようにする等の観点から、３０％以上が好ましく、５０％以上がより好ましく、９０％以下が好ましく、８０％以下がより好ましく、具体的には、３０％以上９０％以下が好ましく、５０％以上８０％以下がより好ましい。
【００２６】
周壁部４１（側壁部４１ａ，壁部４１ｂ）の高さＨ１は、尿回収部４３に回収された尿が該尿回収部４３から溢れた際に尿回収用容器４から容易にこぼれないようにする等の観点から、１０ｍｍ以上が好ましく、１５ｍｍ以上がより好ましく、６０ｍｍ以下が好ましく、４０ｍｍ以下がより好ましく、具体的には、１０ｍｍ以上６０ｍｍ以下が好ましく、１５ｍｍ以上４０ｍｍ以下がより好ましい。
【００２７】
区画壁４２（縦区画壁４２ａ，横区画壁４２ｂ）の高さＨ２は、尿回収部４３で所定量の尿を回収しつつ、該尿の蒸発を抑制する等の観点から、５ｍｍ以上が好ましく、８ｍｍ以上がより好ましく、５０ｍｍ以下が好ましく、３０ｍｍ以下がより好ましく、具体的には、５ｍｍ以上５０ｍｍ以下が好ましく、８ｍｍ以上３０ｍｍ以下がより好ましい。
【００２８】
区画壁４２（縦区画壁４２ａ，横区画壁４２ｂ）により区画される複数の尿回収部４３は、その大きさ及び形状に特に限定はないが、同じ形状であることが好ましく、同じ形状及び大きさであることがより好ましい。複数の尿回収部４３の形状としては、例えば、半球形状、円柱形状、直方体形状、立方体形状、円錐形状、及び多角錐形状等が挙げられる。本実施形態では、複数の尿回収部４３は、図３に示すように、縦区画壁４２ａ及び横区画壁４２ｂにより碁盤格子状に配されており、尿回収部４３は、図４に示すように、同じ大きさの直方体形状に形成されている。尿回収部４３を同じ大きさの直方体形状に形成することで、例えば、１つの尿回収部４３で回収可能な尿の量が同じになり、回収した尿の量を知る上での目安とすることができる。例えば、一杯になった尿回収部４３の数及び尿回収部４３に途中まで溜まった尿の量を目視するだけで、回収した尿の大まかな量を知ることができる。
【００２９】
また、尿回収部４３に回収された尿が外気等に触れて蒸発することを抑制すると共に、該尿回収部４３に回収された尿を該尿回収部４３から取り出し易くする等の観点から、各尿回収部４３の上部開口の開口面積Ｓ１が、該尿回収部４３の底面の面積Ｓ２よりも大きいことが好ましい。例えば、区画壁４２の底面側の厚みを上部開口側の厚みよりも厚くすることで、尿回収部４３の開口面積Ｓ１を底面の面積Ｓ２よりも大きくすることができる。
【００３０】
上部開口の開口面積Ｓ１に対する底面の面積Ｓ２の割合（（Ｓ２／Ｓ１）×１００）としては、１％以上が好ましく、１０％以上がより好ましく、９５％以下が好ましく、９０％以下がより好ましく、具体的には、１％以上９５％以下が好ましく、１０％以上９０％以下がより好ましい。
【００３１】
各尿回収部４３の上部開口の開口面積Ｓ１は、１ｃｍ２以上が好ましく、２ｃｍ２以上がより好ましく、４０ｃｍ２以下が好ましく、２５ｃｍ２以下がより好ましく、具体的には、１ｃｍ２以上４０ｃｍ２以下が好ましく、２ｃｍ２以上２５ｃｍ２以下がより好ましい。
【００３２】
同様に、各尿回収部４３の底面の面積Ｓ２は、０．１ｃｍ２以上が好ましく、０．２ｃｍ２以上がより好ましく、３８ｃｍ２以下が好ましく、２４ｃｍ２以下がより好ましく、具体的には、０．１ｃｍ２以上３８ｃｍ２以下が好ましく、０．２ｃｍ２以上２４ｃｍ２以下がより好ましい。
【００３３】
各尿回収部４３の容積は、ペットである猫の１回分の尿の量（例えば、１５ｃｃ）に相当する容積に設定してもよく、１日分の尿の量（例えば、６０ｃｃ）に設定してもよいが、尿の蒸発を抑制しつつ、該尿回収部４３から尿を取り出し易くすると共に該尿を計量し易くする等の観点から、１ｃｍ３以上が好ましく、２ｃｍ３以上がより好ましく、８０ｃｍ３以下が好ましく、２０ｃｍ３以下がより好ましい。具体的には、１ｃｍ３以上８０ｃｍ３以下が好ましく、２ｃｍ３以上２０ｃｍ３以下がより好ましい。
【００３４】
尿回収部列４３Ｇを構成する尿回収部の数は、尿回収部４３に回収された尿が外気等に触れて蒸発することを抑制すると共に、該尿回収部４３に回収された尿を該尿回収部４３から取り出し易くする等の観点から、１２個以上が好ましく、３０個以上がより好ましく、１２００個以下が好ましく、４００個以下がより好ましい。具体的には、１２個以上１２００個以下が好ましく、３０個以上４００個以下がより好ましい。
【００３５】
同様に、幅方向Ｙに並ぶ尿回収部列４３Ｇの数は、尿回収部４３に回収された尿が外気等に触れて蒸発することを抑制すると共に、該尿回収部４３に回収された尿を該尿回収部４３から取り出し易くする等の観点から、２列以上が好ましく、４列以上がより好ましく、３０列以下が好ましく、２０列以下がより好ましい。具体的には、２列以上３０列以下が好ましく、４列以上２０列以下がより好ましい。
【００３６】
次に、上述した尿回収用容器４及び該尿回収用容器４を備えるペット用トイレ１の使用方法について説明する。尿回収用容器４及びペット用トイレ１は、ペットである猫の尿の回収に好適に用いることができる。また尿回収用容器４は、単体で使用することもできるが、上述したトレー３に載置してペット用トイレ１として使用することが好ましい。
【００３７】
先ず、外容器２０からトレー３を引き出して、トレー３の収容部３２に尿回収用容器４を載置する。そして、尿回収用容器４が載置されたトレー３を尿回収用容器４と共に、外容器２０の下層部分Ｂに収容する。そして、内容器２１の上層部分Ａには、排泄物処理材を配してペット用トイレ１の便床を形成してもよい。
【００３８】
尿回収用容器４が載置されたトレー３が収容されたトイレ本体２の上層部分Ａに猫が入って便床に排尿すると、尿は排泄物処理材を通過し、仕切り層２９に形成された多数の貫通孔２９ｈを介して下層部分Ｂに流れ落ちる。下層部分Ｂに流れ落ちた尿は、下層部分Ｂに配された尿回収用容器４に回収される。尿回収用容器４は、複数の縦区画壁４２ａ及び複数の横区画壁４２ｂによって区画された複数の尿回収部４３を備えているので、下層部分Ｂに流れ落ちた尿は、複数の尿回収部４３の内のいずれかに回収される。猫の場合、尿回収用容器４の長手方向Ｘの手前側又は長手方向Ｘの奥側に配された尿回収部４３に回収されることが多い。本実施形態では、尿回収用容器４が複数の尿回収部４３を備えているので、尿が区画された１以上の尿回収部４３に回収される。その為、尿の外気に触れる表面積が小さくなり、回収後に尿が蒸発することを効果的に抑制することができる。これにより、回収した尿の蒸発による尿の比重の変化が小さくなり、正確な尿検査を行うことができる。なお、区画壁４２により区画された尿回収部４３に回収された尿は、スポイト等で吸い取って別容器に移し、検査に用いることができるほか、尿回収部４３に回収された尿に尿検査紙等を直接接触させることで尿検査を行うこともできる。
【００３９】
図５には、図３に示す尿回収用容器４の他の形態が示されている。図５に示す尿回収用容器４も、尿が該尿回収用容器４から溢れる前に、少なくとも一の尿回収部４３から他の尿回収部４３への該尿の拡散が生じるようになされている。図５に示す尿回収用容器４では、隣り合う尿回収部４３どうしの間に位置する区画壁４２に、下方に向かって凹んだ低壁部４４が形成されている。低壁部４４は区画壁４２よりも低い位置まで凹んだ溝或いは窪みとなっている。図５に示す尿回収用容器４では、低壁部４４は、長手方向Ｘに隣り合う尿回収部４３どうしの間に位置する横区画壁４２ｂに形成されており、長手方向Ｘに並んで配されている。このように、図５に示す尿回収用容器４は、尿回収部列４３Ｇの長手方向Ｘに隣り合う尿回収部４３が、該尿回収部４３どうしの間に位置する横区画壁４２ｂの上部に形成された低壁部４４によって連通されている。低壁部４４を用いて尿回収部列４３Ｇの隣り合う尿回収部４３どうしを連通させることで、尿回収部列４３Ｇを構成する複数の尿回収部４３を効率的に使用することができる。例えば、低壁部４４によって、尿回収部列４３Ｇを構成する一方向に隣り合う尿回収部４３に順次尿が流れ込んでいく（流れ方向に拡散していく）ので、該尿回収部が一方向に順次充填されていき、目視による計量がし易くなる。
【００４０】
低壁部４４の大きさ及び形状は、尿が通過できる大きさ及び形状であれば特に限定はなく、図６に示すように、１個の尿回収部４３に対応する横区画壁４２ｂの上部の一部に形成してもよく、該横区画壁４２ｂの上部の全体を低壁部４４としてもよい。即ち、該横区画壁４２ｂの高さを縦区画壁４２ａの高さよりも低くして横区画壁４２ｂの上部を低壁部４４としてもよい。図５に示す尿回収用容器４では、低壁部４４は、横区画壁４２ｂの上部の幅方向Ｙの略中央部において、正面視して略Ｕ字形状に底壁部４０側に凹んだ形状に形成されている。
【００４１】
区画壁４２の高さＨ２（図５及び図６参照）に対する、底面から低壁部４４の最下端までの高さ（横区画壁４２ｂの有効高さ）Ｈ３（図６参照）の割合（（Ｈ３／Ｈ２）×１００）としては、３０％以上が好ましく、５０％以上がより好ましく、９５％以下が好ましく、９０％以下がより好ましく、具体的には、３０％以上９５％以下が好ましく、５０％以上９０％以下がより好ましい。
【００４２】
底面から低壁部４４の最下端までの高さＨ３は、尿の蒸発を抑制しつつ、尿を長手方向Ｘに流通し易くする等の観点から、４ｍｍ以上が好ましく、６ｍｍ以上がより好ましく、４５ｍｍ以下が好ましく、２７ｍｍ以下がより好ましく、具体的には、４ｍｍ以上４５ｍｍ以下が好ましく、６ｍｍ以上２７ｍｍ以下がより好ましい。
【００４３】
また、図５に示す尿回収用容器４には、尿回収部列４３Ｇにおける長手方向Ｘの一端部と隣接する壁部４１ｂの部分において、下方に向かって凹んだ切欠き部４５が形成されている。切欠き部４５は、尿回収部列４３Ｇの一端部と隣接する壁部４１ｂの部分の全てに形成される必要はないが、本実施形態では、該部分の全てに形成されている。尿回収部列４３Ｇの該一端部と隣接する壁部４１ｂの部分に切欠き部４５を形成することで、尿回収部列４３Ｇに回収された尿を切欠き部４５を介して効果的に廃棄可能になり、例えば、使用者の手等を汚すことなく、ペットの尿等を廃棄することができる。
【００４４】
切欠き部４５の大きさ及び形状は特に限定はないが、図５に示す尿回収用容器４では、切欠き部４５は、外方に向けて徐々に切り欠かれる部分の深さが漸次浅くなる形状に形成されている。また切欠き部４５は、同じ大きさに形成されている。
【００４５】
ペット用トイレ１の構成部材（尿回収用容器４、トイレ本体（外容器２０、内容器２１）２、トレー３等）の材質は、耐食性を有するものであれば特に制限はない。軽量で取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１の構成部材は、表面に撥水加工や抗菌加工が施されたものを用いることがより好ましい。
【００４６】
ペット用トイレ１の上層部分Ａに配され便床を形成する排泄物処理材を用いる場合には、当該技術分野において猫砂やトイレ砂等として用いられている排泄物処理材を特に制限無く用いることができる。排泄物処理材は、好ましくは、植物由来の素材の粉砕物、合成樹脂、粘土鉱物等の成分の１種以上を含んで構成され、成形された成形物が挙げられる。排泄物処理材の形状は、例えば、円筒形状、球状、立方体、直方体等とすることができる。
【００４７】
ペット用トイレ１は、尿検査の試料としての尿の採取作業の容易化を図ったものであり、尿検査の信頼性向上の観点から、前述した尿回収用容器４から採取される尿は、ペットが排泄したものと同じであることが望ましい。従って、排泄物処理材としては、尿の組成、特性に影響を与えないか、殆ど与えないものが好ましく、逆に、尿を吸収したり尿によって溶出される成分を含むものや尿を変質させるようなものは好ましくない。斯かる観点から、排泄物処理材として好ましいものは、例えば、ガラス；ポリプロピレン、ポリエチレン等の合成樹脂；玉砂利等の鉱物等からなるものが挙げられる。逆に、排泄物処理材として好ましくないものは、例えば、パルプ繊維そのもの（パルプ繊維を圧縮成形したものを除く）；シリカゲル等が挙げられる。
【００４８】
以上、本発明をその好ましい実施形態に基づき説明したが、本発明は本実施形態に限定されない。例えば、図３及び図５に示す尿回収用容器４では、周壁部４１（側壁部４１ａ，壁部４１ｂ）の高さＨ１は区画壁４２（縦区画壁４２ａ，横区画壁４２ｂ）の高さＨ２よりも必ずしも高い必要はなく、周壁部４１の高さＨ１と区画壁４２の高さＨ２とが同じ高さであってもよい。
【００４９】
また、尿回収用容器４は、必ずしもペット用トイレ１に使用する必要はなく、尿回収用容器４を単体で使用してもよい。
【００５０】
また、図５に示す尿回収用容器４では、長手方向Ｘに隣り合う尿回収部４３どうしの間に位置する横区画壁４２ｂに低壁部４４を形成したが、幅方向Ｙに隣り合う尿回収部４３どうしの間に位置する縦区画壁４２ａに低壁部４４を形成してもよく、該横区画壁４２ｂ及び該縦区画壁４２ａに低壁部４４を形成してもよい。つまり、図５に示す尿回収用容器４では、低壁部４４を長手方向Ｘに並んで配したが、低壁部４４を幅方向Ｙに並んで配してもよく、長手方向Ｘ及び幅方向Ｙに並んで配してもよい。該縦区画壁４２ａに低壁部４４を形成し且つ側壁部４１ａに切欠き部４５を形成する場合には、尿回収部４３が幅方向Ｙに間欠的に配された尿回収部列の一端部と隣接する側壁部４１ａの部分に切欠き部４５を形成することが好ましい。
【００５１】
また図３及び図５に示す尿回収用容器４では、尿回収用容器４を平面視して、複数の尿回収部４３を碁盤格子状に配したが、例えば、長手方向Ｘに隣り合う尿回収部列４３Ｇを幅方向Ｙに半ピッチずらして配して千鳥格子状にしてもよい。
【００５２】
また、図３及び図５に示す尿回収用容器４では、底壁部４０及び区画壁４２を１枚の平滑な平板で構成しているが、図７に示すように、区画壁４２が内部に空間を形成しており、該区画壁４２で尿回収部４３を区画してもよい。即ち、底壁部４０は、図７に示すように、必ずしも平滑なものである必要はない。
【００５３】
また、図３及び図５に示す尿回収用容器４では、底壁部４０、周壁部４１及び区画壁４２を一体成型したが、底壁部４０、周壁部４１及び区画壁４２を別体に形成しそれぞれを接着剤等で接合してもよい。また区画壁４２のみを別体に形成し、底壁部４０及び周壁部４１と区画壁４２とを接着剤等で接合してもよい。
【００５４】
また、図２に示すペット用トイレ１では、トレー３の収容部３２に１つの尿回収用容器４を載置して使用しているが、トレー３の収容部３２に複数の尿回収容器を並べて載置して使用してもよい。例えば、図２に示す尿回収用容器４を半分の大きさに分割し、分割した２枚の尿回収用容器をトレー３の収容部３２に並べて載置して使用してもよく、１／４の大きさに分割した４枚の尿回収用容器を使用してもよい。
【００５５】
また、図２に示すペット用トイレ１では、トレー３の周壁部３１の高さは一定であるが、周壁部３１の高さが部分によって異なってもよい。例えば、トレー３の引き出し方向（長手方向Ｘ）の奥側の壁部３１ｂの高さＨが前端側の壁部３１ｂよりも高くなっていてもよく、奥側の壁部３１ｂの一部分が高くなっていてもよい。その場合、トレー３の引き出し方向の奥側に位置する壁部３１ｂの最大高さの上端が仕切り層２９と接触しないように形成されていればよい。
【００５６】
また、図２に示すペット用トイレ１では、トレー３の前端側と奥側の位置関係は一定であり、該トレー３の前端側と奥側とを入れ替えてトイレ本体２の下層部分Ｂに収容して使用できないが、トレー３の前端側と奥側とを入れ替えても使用できるようにしてもよい。例えば、トレー３の前端側と奥側のそれぞれに同形状のフランジ部３３を連接し、長手方向Ｘの何れの方向からでもトイレ本体２の下層部分Ｂに収容可能に形成してもよい。
【符号の説明】
【００５７】
１  ペット用トイレ
２  トイレ本体
２０  外容器
２１  内容器
２８  開口部
２９  仕切り層
３  トレー
３２  収容部
４  尿回収用容器
４０  底壁部
４１  周壁部
４１ａ  側壁部
４１ｂ  壁部
４２  区画壁
４２ａ  縦区画壁
４２ｂ  横区画壁
４３  尿回収部
４３Ｇ  尿回収部列
４４  低壁部
４５  切欠き部
Ａ  上層部分
Ｂ  下層部分
Ｘ  長手方向
Ｙ  幅方向
【図１】
2019083701.tif 000003
【図２】
2019083701.tif 000004
【図３】
2019083701.tif 000005
【図４】
2019083701.tif 000006
【図５】
2019083701.tif 000007
【図６】
2019083701.tif 000008
【図７】
2019083701.tif 000009